【手続補正書】
【提出日】平成22年4月2日(2010.4.2)
【手続補正１】
【補正対象書類名】特許請求の範囲
【補正対象項目名】全文
【補正方法】変更
【補正の内容】
【特許請求の範囲】
【請求項１】
流体の滴を被印刷物に送達するように構成される流体送達ヘッドと、
複数の突起を有する支持部材であって、少なくとも１つの突起は、外端と裏面とを有し、該外端は、該被印刷物の下面と接触することによって該被印刷物を支持するように構成され、該裏面は、該支持部材の表面に接続される、支持部材と、
該支持部材の該表面の少なくとも一部の上の吸収材料であって、該吸収材料は、該少なくとも１つの突起の該裏面近傍に位置決定され、該少なくとも１つの突起の該外端は、該吸収材料を越えて突出する、吸収材料と
を備える、
流体送達システム。
【請求項２】
前記流体送達ヘッドと前記支持部材との間に相対運動を生じさせるように構成される、被印刷物輸送機構をさらに備える、請求項１に記載の流体送達システム。
【請求項３】
前記支持部材の少なくとも一部は、実質的に平坦な面を備える、請求項１に記載の流体送達システム。
【請求項４】
前記突起は、該突起によって運搬される前記被印刷物が前記支持部材の表面と実質的に平行となるように構成される、請求項１に記載の流体送達システム。
【請求項５】
前記外端は、先細形状であり、前記被印刷物を運搬するように適合される、請求項１に記載の流体送達システム。
【請求項６】
前記支持部材は１つ以上のコンベヤベルトを含む、請求項１に記載の流体送達システム。
【請求項７】
前記被印刷物の位置または方向を検出するように構成される、１つ以上のセンサをさらに備える、請求項１に記載の流体送達システム。
【請求項８】
前記流体送達ヘッドは、前記被印刷物の少なくとも１つのエッジに沿ってフルブリード印刷するように構成される、請求項１に記載の流体送達システム。
【請求項９】
前記支持部材の表面上に吸収材料をさらに備える、請求項１に記載の流体送達システム。
【請求項１０】
複数の突起を有する支持部材を提供することであって、少なくとも１つの突起は、外端と裏面とを有し、該外端は、被印刷物を支持するように構成され、該裏面は、該支持部材の表面に接続される、ことと、
該支持部材の少なくとも一部の上の該少なくとも１つの突起の該裏面近傍に吸収材料を提供することであって、該少なくとも１つの突起の該外端は該吸収材料を越えて突出する、ことと、
該被印刷物を該複数の突起上に載置することであって、該少なくとも１つの突起の該外端は該被印刷物の下面と接触している、ことと、
流体送達ヘッドからの流体の滴を該被印刷物に配置することと
を包含する、
インク画像を被印刷物上に印刷するための方法。
【請求項１１】
前記被印刷物と前記流体送達ヘッドとの間に相対運動を生じさせることをさらに包含する、請求項１０に記載の方法。
【請求項１２】
前記支持部材は１つ以上のコンベヤベルトを含む、請求項１０に記載の方法。
【請求項１３】
前記被印刷物の少なくとも１つのエッジに沿ってフルブリード印刷される、インク画像を形成することをさらに包含する、請求項１０に記載の方法。
【請求項１４】
前記被印刷物は食品を含む、請求項１０に記載の方法。
【請求項１５】
前記吸収材料は、前記流体送達ヘッドによって吐出されるが、前記被印刷物によって受け取られない過剰噴霧インク滴を吸収するように構成される、請求項１０に記載の方法。
【手続補正２】
【補正対象書類名】明細書
【補正対象項目名】０００７
【補正方法】変更
【補正の内容】
【０００７】
実施形態は、以下の利点のうちの１つ以上を含み得る。開示された流体送達システムは、フルブリード印刷が可能であり、その一方で、過剰噴霧流体による被印刷物の汚れを低減または防止する。開示された流体送達システムは、印刷前に被印刷物を事前に位置合わせする必要なしに、またはそのための公差を大きくして、小型および不整形形状の被印刷物上にインク画像を印刷することができる。流体送達システムは、不整形形状の被印刷物上で、かつそのエッジまでフルブリード印刷が可能である。さらに、本システムは、過剰噴霧流体を清掃するための、有効な方法および機構を提供し得る。
例えば、本発明は以下の項目を提供する。
（項目１）
流体の滴を被印刷物に送達するように構成される流体送達ヘッドと、
該被印刷物の下面と接触することによって該被印刷物を支持するように構成される、複数の突起を有する支持部材と、
を備える、
流体送達システム。
（項目２）
上記流体送達ヘッドと上記支持部材との間に相対運動を生じさせるように構成される、被印刷物輸送機構をさらに備える、項目１に記載の流体送達システム。
（項目３）
流体の滴を上記被印刷物に送達するために上記流体送達ヘッドを制御し、かつ該流体送達ヘッドと上記支持部材との間に相対運動を生じさせるために上記被印刷物輸送機構を制御するように構成される、コントローラをさらに備える、項目１に記載の流体送達システム。
（項目４）
上記支持部材の少なくとも一部は、実質的に平坦な面を備える、項目１に記載の流体送達システム。
（項目５）
上記突起は、該突起によって運搬される上記被印刷物が上記支持部材の表面と実質的に平行となるように構成される、項目１に記載の流体送達システム。
（項目６）
上記突起は、上記被印刷物を運搬するように適合される先細形状の端部を備える、項目１に記載の流体送達システム。
（項目７）
上記支持部材は１つ以上のコンベヤベルトを含む、項目１に記載の流体送達システム。
（項目８）
上記流体送達ヘッドを上記被印刷物に対して動かすことができる、印刷ヘッド搬送機構をさらに備える、項目１に記載の流体送達システム。
（項目９）
上記被印刷物の位置または方向を検出するように構成される、１つ以上のセンサをさらに備える、項目１に記載の流体送達システム。
（項目１０）
上記流体送達ヘッドは、インク画像を上記被印刷物上に形成するようにインク滴を送達する、項目１に記載の流体送達システム。
（項目１１）
上記流体送達ヘッドは、上記被印刷物の少なくとも１つのエッジに沿ってフルブリード印刷するように構成される、項目１０に記載の流体送達システム。
（項目１２）
上記支持部材の表面上に吸収材料をさらに備える、項目１に記載の流体送達システム。
（項目１３）
インク滴を被印刷物に送達するように構成されるインクジェット印刷ヘッドと、
該被印刷物の下面と接触することによって該被印刷物を運搬するように構成される、複数の突起を有する支持部材と、
を備える、
インクジェット印刷システム。
（項目１４）
上記インクジェット印刷ヘッドと上記支持部材との間に相対運動を生じさせるように構成される、被印刷物輸送機構をさらに備える、項目１３に記載のインクジェット印刷システム。
（項目１５）
支持部材の表面上に複数の突起を有する、該支持部材を提供するステップと、
被印刷物を該複数の突起上に載置するステップと、
インクジェット印刷ヘッドからのインク滴を該被印刷物上に配置するステップと、
を包含する、
インク画像を被印刷物上に印刷するための方法。
（項目１６）
上記被印刷物と上記インクジェット印刷ヘッドとの間に相対運動を生じさせるステップをさらに包含する、項目１４に記載の方法。
（項目１７）
上記支持部材は１つ以上のコンベヤベルトを含む、項目１５に記載の方法。
（項目１８）
上記被印刷物の少なくとも１つのエッジに沿ってフルブリード印刷される、インク画像を形成するステップをさらに包含する、項目１４に記載の方法。
（項目１９）
上記被印刷物の少なくとも１つのエッジは不整形形状である、項目１４に記載の方法。
（項目２０）
上記被印刷物は食品を含む、項目１４に記載の方法。
（項目２１）
上記インクジェット印刷ヘッドによって吐出されるが、上記被印刷物によって受け取られない過剰噴霧インク滴を吸収するために、上記支持部材の上記表面上にインク吸収材料を提供するステップをさらに包含する、項目１４に記載の方法。